【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  投写対象領域をセンシングしてセンシング情報を出力するセンシング手段と、
当該センシング情報に基づき、エッジ検出処理または色分布検出処理を実行してセンシング画像におけるエッジまたはセンシング画像における色分布を示す検出情報を出力する検出手段と、
当該検出情報に基づき、投写対象領域のうち障害物の存在しない投写可能領域を決定する投写可能領域決定手段と、
ユーザーの選択または所定の基準に基づき、当該投写可能領域から投写領域を選択する投写領域選択手段と、
当該投写領域に画像が表示されるように、入力画像情報を調整する調整手段と、
調整後の画像情報に基づき、前記投写領域へ向け画像を投写する画像投写手段と、
を含むことを特徴とする投写型画像表示システム。
【請求項２】  請求項１において、
前記センシング情報に基づき、視環境に応じて画像を補正するための所定の画像補正用データを生成する画像補正用データ生成手段と、
前記調整手段による調整後の入力画像情報を、前記画像補正用データに基づき補正する補正手段と、
を含み、
前記画像投写手段は、前記補正手段による補正後の画像情報に基づき、前記投写領域へ向け画像を投写することを特徴とする投写型画像表示システム。
【請求項３】  請求項２において、
前記画像補正用データ生成手段は、前記投写領域選択手段によって選択された投写領域に該当する部分のセンシング情報に基づき、当該投写領域の視環境を把握して前記画像補正用データを生成することを特徴とする投写型画像表示システム。
【請求項４】  請求項１〜３のいずれかにおいて、
前記画像投写手段は、空間光変調器を有し、
前記調整手段は、前記センシング情報に基づく投写対象領域と、前記空間光変調器の画素領域とを対応づけ、画像の位置および大きさの少なくとも一方を調整するように、前記入力画像情報を調整することを特徴とする投写型画像表示システム。
【請求項５】  請求項１〜４のいずれかにおいて、
前記センシング手段は、所定のタイミングで繰り返しセンシングしてセンシング情報を出力し、
前記検出手段は、新たなセンシング情報に基づき検出情報を出力し、
前記投写可能領域決定手段は、新たな検出情報に基づき、前記投写可能領域を新たに決定することを特徴とする投写型画像表示システム。
【請求項６】  請求項１〜５のいずれかにおいて、
前記投写可能領域決定手段は、前記投写対象領域のうち障害物が存在せず、かつ、所望のアスペクト比を満たす少なくとも１つの領域を決定するとともに、当該領域のうち、最も外側の領域の境界線によって包囲される部分を前記投写可能領域として決定することを特徴とする投写型画像表示システム。
【請求項７】  投写対象領域をセンシングしてセンシング情報を出力するセンシング手段と、
当該センシング情報に基づき、エッジ検出処理または色分布検出処理を実行してセンシング画像におけるエッジまたはセンシング画像における色分布を示す検出情報を出力する検出手段と、
当該検出情報に基づき、投写対象領域のうち障害物の存在しない投写可能領域を決定する投写可能領域決定手段と、
ユーザーの選択または所定の基準に基づき、当該投写可能領域から投写領域を選択する投写領域選択手段と、
当該投写領域に画像が表示されるように、入力画像情報を調整する調整手段と、
調整後の画像情報に基づき、前記投写領域へ向け画像を投写する画像投写手段と、
を含むことを特徴とするプロジェクタ。
【請求項８】  コンピュータにより読み取り可能なプログラムであって、
コンピュータを、
投写対象領域をセンシングしてセンシング情報を出力するセンシング手段と、
当該センシング情報に基づき、エッジ検出処理または色分布検出処理を実行してセンシング画像におけるエッジまたはセンシング画像における色分布を示す検出情報を出力する検出手段と、
当該検出情報に基づき、投写対象領域のうち障害物の存在しない投写可能領域を決定する投写可能領域決定手段と、
ユーザーの選択または所定の基準に基づき、当該投写可能領域から投写領域を選択する投写領域選択手段と、
当該投写領域に画像が表示されるように、入力画像情報を調整する調整手段と、
調整後の画像情報に基づき、前記投写領域へ向け画像を投写する画像投写手段として機能させることを特徴とするプログラム。
【請求項９】  コンピュータにより読み取り可能なプログラムを記憶した情報記憶媒体であって、
コンピュータを、
投写対象領域をセンシングしてセンシング情報を出力するセンシング手段と、
当該センシング情報に基づき、エッジ検出処理または色分布検出処理を実行してセンシング画像におけるエッジまたはセンシング画像における色分布を示す検出情報を出力する検出手段と、
当該検出情報に基づき、投写対象領域のうち障害物の存在しない投写可能領域を決定する投写可能領域決定手段と、
ユーザーの選択または所定の基準に基づき、当該投写可能領域から投写領域を選択する投写領域選択手段と、
当該投写領域に画像が表示されるように、入力画像情報を調整する調整手段と、
調整後の画像情報に基づき、前記投写領域へ向け画像を投写する画像投写手段として機能させるためのプログラムを記憶したことを特徴とする情報記憶媒体。
【請求項１０】  投写対象領域をセンシングしてセンシング情報を出力し、
当該センシング情報に基づき、エッジ検出処理または色分布検出処理を実行してセンシング画像におけるエッジまたはセンシング画像における色分布を示す検出情報を出力し、
当該検出情報に基づき、投写対象領域のうち障害物の存在しない投写可能領域を決定し、
ユーザーの選択または所定の基準に基づき、当該投写可能領域から投写領域を選択し、
当該投写領域に画像が表示されるように、入力画像情報を調整し、
調整後の画像情報に基づき、前記投写領域へ向け画像を投写することを特徴とする画像投写方法。
【手続補正２】
【補正対象書類名】明細書
【補正対象項目名】００４１
【補正方法】変更
【補正の内容】
【００４１】
これにより、ユーザーは、画像の投写位置を変更する場合であっても、理想的な画像の見え方を再現することができる。
【手続補正３】
【補正対象書類名】明細書
【補正対象項目名】００８５
【補正方法】変更
【補正の内容】
【００８５】
以上のように、本実施形態によれば、液晶プロジェクタは、障害物（例えば、机、観客等）が存在しない投写可能領域３０を自動的に決定することができるため、ユーザーは、投写位置の変更をより簡易に行うことが可能となる。
【手続補正４】
【補正対象書類名】明細書
【補正対象項目名】００８９
【補正方法】変更
【補正の内容】
【００８９】
これにより、液晶プロジェクタは、例えば、連続して投写領域４０を変更して表示する場合であっても、投写領域４０を変更する度にキャリブレーションを実行する手間を省くことができ、投写位置の変更をより簡易に行うことが可能となる。
【手続補正５】
【補正対象書類名】明細書
【補正対象項目名】０１０５
【補正方法】変更
【補正の内容】
【０１０５】
より具体的には、投写可能領域決定部１４５は、センシング画像のうち投写範囲１０Ａが該当する部分のセンシング情報に基づき、色分布検出部１４７からのＸ値の範囲（ＸＰ１〜ＸＰ２）に該当するＸ値を有する領域ＡＸを抽出する。なお、センシング情報は、座標位置ごとに（縦座標位置、横座標位置、Ｘ値、Ｙ値、Ｚ値）を有する。したがって、投写可能領域決定部１４５は、Ｘ値を検索キーとして当該Ｘ値を有する座標の縦座標位置および横座標位置を把握できるため、領域ＡＸを抽出することができる。Ｙ値、Ｚ値についても同様に該当する領域ＡＹ、ＡＺを抽出する。